(57)【要約】【課題】グラウト用ポンプが所定の圧力を超えたときに、安全且つ確実に圧力を開放するための手動式圧抜き装置を提供する。【解決手段】グラウト用ポンプの吐出流路に連通して設置し、当該グラウト用ポンプが所定の圧力を超えたときに、手動で圧力を開放するための手動式圧抜き装置１１であって、手動式圧抜き装置は、圧力の数値を表示する圧力計１２と、圧力の数値を外部の機器に伝送する圧力伝送部１３と、吐出流路１４と接続する圧力開放通路１５に設けられる圧抜き部１６とから構成され、圧抜き部は、圧力開放通路に連通するシリンダー部１７と排出孔１８とを備えるブロック体１９と、筒形状に形成されてパッキン部２０ａを備え、シリンダー部に配設されて圧力開放通路を閉塞又は開放可能な弁部材２０と、一端部２１ａが弁部材に接続し、他端部２１ｂがブロック体の上部から上方に突出可能で下方に押し込み可能な押込みボルト２１とを備える。【選択図】図１
0003212135.tif 000002
【実用新案登録請求の範囲】
【請求項１】
グラウト用ポンプの吐出流路に連通して設置し、当該グラウト用ポンプが所定の圧力を超えたときに、手動で圧力を開放するための手動式圧抜き装置であって、
該手動式圧抜き装置は、
前記圧力の数値を表示する圧力計と、
前記圧力の数値を外部の機器に伝送する圧力伝送部と、
前記吐出流路と接続する圧力開放通路に設けられる圧抜き部とから構成され、
該圧抜き部は、
前記圧力開放通路に連通するシリンダー部と排出孔とを備えるブロック体と、
筒形状でパッキン部を備え、前記シリンダー部に配設されて前記圧力開放通路を閉塞又は開放可能な弁部材と、
一端部が前記弁部材に接続し、他端部が前記ブロック体の上部から上方に突出可能で下方に押し込み可能な押込みボルトとを備えること
を特徴とする手動式圧抜き装置。
【請求項２】
前記圧力計は、前記圧力の数値を表示する表示部が目盛り表示式又はデジタル表示式であること
を特徴とする請求項１に記載の手動式圧抜き装置。
【請求項３】
前記圧力伝送部は、前記圧力の数値をケーブルを介して又はワイヤレスで外部の機器に伝送する構成であること
を特徴とする請求項１に記載の手動式圧抜き装置。
【考案の詳細な説明】
【技術分野】
【０００１】
本考案は、高圧プランジャーポンプ等のグラウト用ポンプの吐出流路に連通して設置し、当該グラウト用ポンプが所定の圧力を超えたときに、手動で圧力を開放するための手動式圧抜き装置に関するものである。
【背景技術】
【０００２】
従来、削孔や地盤改良等の工事に使用する、高圧プランジャーポンプ等のグラウト用ポンプは、工事を行っている際に、高圧ホースのノズル等が何らかの原因で詰まることがある。このとき、高圧のグラウト用ポンプはグラウトを供給し続けるので、吐出流路内に異常圧力が加わることになる。
【０００３】
この異常圧力をグラウト用ポンプの検知装置が検知すると、当該ポンプの駆動を停止させる仕組みになっている。
【０００４】
なお、特開平１１−２５７２４４号公報には、セメントミルク等を圧送するプランジャーポンプの圧抜き機構が開示されている（特許文献１参照）。
【先行技術文献】
【特許文献】
【０００５】
【特許文献１】特開平１１−２５７２４４号公報（図４参照）
【考案の概要】
【考案が解決しようとする課題】
【０００６】
しかしながら、グラウト用ポンプの検知装置が異常圧力を検知して、当該ポンプの駆動を停止しても、グラウトの吐出流路内には異常圧力が残存する。
【０００７】
この場合、高圧ホースの先端部を切断したり、あるいは高圧ホースの連結部を外して残圧を開放している。しかし、高圧ホースを切断等した瞬間に、高圧のセメントミルク等が噴出するので大変危険であり、噴きだしたセメントミルクで負傷事故が発生するおそれがあるという問題点を有している。
【０００８】
従って、従来例における場合においては、高圧ホースのノズル等が閉塞したときに、安全でかつ確実に残圧を開放することに解決しなければならない課題を有している。
【課題を解決するための手段】
【０００９】
前記従来例の課題を解決するための本考案の要旨は、グラウト用ポンプの吐出流路に連通して設置し、当該グラウト用ポンプが所定の圧力を超えたときに、手動で圧力を開放するための手動式圧抜き装置であって、該手動式圧抜き装置は、前記圧力の数値を表示する圧力計と、前記圧力の数値を外部の機器に伝送する圧力伝送部と、前記吐出流路と接続する圧力開放通路に設けられる圧抜き部とから構成され、該圧抜き部は、前記圧力開放通路に連通するシリンダー部と排出孔とを備えるブロック体と、筒形状でパッキン部を備え、前記シリンダー部に配設されて前記圧力開放通路を閉塞又は開放可能な弁部材と、一端部が前記弁部材に接続し、他端部が前記ブロック体の上部から上方に突出可能で下方に押し込み可能な押込みボルトとを備えることである。
【００１０】
また、前記圧力計は、前記圧力の数値を表示する表示部が目盛り表示式又はデジタル表示式であること、；
前記圧力伝送部は、前記圧力の数値をケーブルを介して又はワイヤレスで外部の機器に伝送する構成であること、；
を含むものである。
【考案の効果】
【００１１】
本考案に係る手動式圧抜き装置によれば、高圧ホースのノズル等が詰まったときに、手動で安全かつ確実に圧力を開放することができる。従って、従来例のような、高圧ホースを切断した瞬間にセメントミルクが噴出して負傷する事故を防止できる。
特に、圧力を開放する圧抜き部の近傍に、圧力の数値を表示する圧力計が設けられているので、圧力の数値を直接視認しながら、迅速で的確な圧力の開放作業を行うことができる。
また、圧抜き部の近傍に、圧力の数値を外部の機器に伝送する圧力伝送部が設けられているので、遠隔の作業場所で圧力の数値を確認できることとなり、圧力の開放作業を迅速で的確に指示することができるという種々の優れた効果を奏する。
【００１２】
圧力計は、圧力の数値を表示する表示部が目盛り表示式又はデジタル表示式であることによって、圧力の数値を正確に且つ確実に読み取ることができるという優れた効果を奏する。
【００１３】
圧力伝送部は、圧力の数値をケーブルを介して又はワイヤレスで外部の機器に伝送する構成であることによって、遠隔の作業場所で圧力の数値を確認できることとなり、その結果、圧力の開放作業を迅速で的確に指示できるという優れた効果を奏する。
【図面の簡単な説明】
【００１４】
【図１】本考案に係る手動式圧抜き装置１１の圧力開放時の正面図である。
【図２】本考案に係る手動式圧抜き装置１１の正面図である。
【図３】本考案に係る手動式圧抜き装置１１の右側面図である。
【図４】本考案に係る手動式圧抜き装置１１の平面図である。
【考案を実施するための形態】
【００１５】
次に、本考案の実施の形態について図面を参照しながら説明する。まず、図１から図４おいて、符号１１は手動式圧抜き装置を示し、この手動式圧抜き装置１１は、圧力の数値を表示する圧力計１２と、圧力の数値を外部の機器に伝送する圧力伝送部１３と、吐出流路１４と接続する圧力開放通路１５に連通する圧抜き部１６とから構成される。
【００１６】
手動式圧抜き装置１１は、図示しないグラウト用ポンプの吐出流路１４に連通して設置し、当該グラウト用ポンプが所定の圧力を超えたときに、圧力の数値を直接視認しながら、あるいは、遠隔の作業場所で圧力の数値を確認してから、手動で圧力（残圧）を開放する装置である。
なお、図１及び図２おいて、吐出流路１４には、グラウトあるいはセメントミルクが矢印Ａ方向に高圧で流れる。また、符号２３は、圧力計１２及び圧力伝送部１３を覆うカバーを示し、符号２４は基台を示す。
【００１７】
圧力計１２は、下部１２ａが吐出流路１４に連通しており、図示しない圧力センサーが圧力を検知して、その圧力の数値を表示部１２ｂに表示する。表示部１２ｂは、目盛り表示式又はデジタル表示式であって、圧力の数値を正確且つ確実に読み取ることができるようになっている。
【００１８】
圧力伝送部１３は、下部１３ａが吐出流路１４に連通しており、図示しない圧力センサーが圧力を検知して、その圧力の数値を外部の機器に伝送する。圧力の数値は、図示しないケーブルを介して、あるいはワイヤレスで伝送する仕組になっており、圧力の数値を遠隔の作業場所に正確且つ確実に伝送する。
【００１９】
圧抜き部１６は、シリンダー部１７と排出孔１８とを備えるブロック体１９と、シリンダー部１７に配設される弁部材２０と、一端部２１ａが弁部材２０に接続し、他端部２１ｂがブロック体１９の上部から上方に突出可能で下方に押し込み可能な押込みボルト２１とから構成される。
【００２０】
ブロック体１９は、鋼材等で形成されて適宜の重量を有し直方体形状を呈する。また、ブロック体１９は、図１に示すように、底部２２が開口して形成されるシリンダー部１７と、シリンダー部１７に連通する排出孔１８とを有する。シリンダー部１７の上部には、押込みボルト２１の他端部２１ｂが突出可能に位置する。そして、シリンダー部１７が圧力開放通路１５に連通する構成になっている（図１及び図２参照）。
【００２１】
弁部材２０は、筒形状で、パッキン部２０ａを有し、その下部に突起部２０ｂを備えている。弁部材２０は、シリンダー部１７に嵌り込むように配設され、圧力開放通路１５を閉塞するようになっている。
【００２２】
押込みボルト２１は、ブロック体１９の上部から垂直に螺着しており、この押込みボルト２１を螺入して、一端部２１ａに接続する弁部材２０が圧力開放通路１５を閉塞する（図２参照）。また、圧力を開放するときには、他端部２１ｂ側をブロック体１９の上部から突出させて、弁部材２０を圧力開放通路１５から離隔する（図１参照）。
【００２３】
次に、以上のような構成の手動式圧抜き装置１１を用いて圧力を開放する仕組みについて説明する。まず、高圧プランジャーポンプ等のグラウト用ポンプは、通常約４２０〜４３０kg程度の圧力で作業を行う。高圧ホースのノズルが詰まって、グラウト用ポンプの検知装置が異常圧力を検知すると、当該ポンプの駆動を停止させる。
【００２４】
この場合は、押込みボルト２１を緩めて上昇させると（図１矢印Ｂ参照）、弁部材２０が圧力開放通路１５から離隔するので、セメントミルクがシリンダー部１７に進入して、排出孔１８から外部に噴出し、圧力が開放される仕組みになっている。なお、図示はしないが、排出孔１８にはホースが連結されており、噴出するセメントミルクは所定の排出場所に排出される。
【００２５】
以上のように構成される手動式圧抜き装置１１は、高圧ホースのノズル等が詰まったときに、手動で安全かつ確実に圧力を開放することができるので、従来例のような、高圧ホースを切断した瞬間にセメントミルクが噴出して負傷する事故を防止できる。
特に、圧抜き部１６の近傍に、圧力の数値を表示する圧力計１２が設けられているので、圧力の数値を直接視認しながら、迅速で的確な圧力の開放作業を行うことができる。
また、圧抜き部１６の近傍に、圧力の数値を外部の機器に伝送する圧力伝送部１３が設けられているので、遠隔の作業場所で圧力の数値を確認できることとなり、圧力の開放作業を迅速で的確に指示することができる。
【符号の説明】
【００２６】
１１  手動式圧抜き装置
１２  圧力計
１２ａ下部
１２ｂ表示部
１３  圧力伝送部
１３ａ下部
１４  吐出流路
１５  圧力開放通路
１６  圧抜き部
１７  シリンダー部
１８  排出孔
１９  ブロック体
２０  弁部材
２０ａパッキン部
２０ｂ突起部
２１  押込みボルト
２１ａ一端部
２１ｂ他端部
２２  底部
２３  カバー
２４  基台
【図１】
0003212135.tif 000003
【図２】
0003212135.tif 000004
【図３】
0003212135.tif 000005
【図４】
0003212135.tif 000006